(57)【要約】【課題】              従来、香辛料等の詰め替え容器においては、詰替用袋から粉体や液体を収容容器に詰め替える際に、外にこぼしたりして詰め替えるのが面倒で難しいとと共に、いう課題があった。見合った量を小袋に容れて、一袋ずつ開封して使用するようにすることも可能であるが、開封するのが面倒であったり、余った場合の保管や残量の管理が難しくなる課題があった。【解決手段】          そこで、本発明は、一端部に開口２を有する筒状の親容器１内に複数個の密閉蓋１１付の子容器１０を連ねて収容してなる分包容器を提供するものである。【選択図】            図３
2008074442.tif 000002
【特許請求の範囲】
【請求項１】
一端部に開口を有する筒状の親容器内に複数個の密閉蓋付の子容器を連ねて収容してなる分包容器。
【請求項２】
請求項１に記載の分包容器において、親容器の他端部に子容器用の入口を設けてなる分包容器。
【請求項３】
請求項２に記載の分包容器において、入口に弾性変形可能に子容器を挿通して収容後に突出して子容器の落下を止めるストッパを設けてなる分包容器。
【請求項４】
請求項３に記載の分包容器において、子容器の外周にストッパと係合する係止突起を設けてなる分包容器。
【請求項５】
請求項１乃至４のいずれかに記載の分包容器において、入口に入口キャップを設けてなる分包容器。
【請求項６】
請求項５に記載の分包容器において、入口に押し込み嵌着する入口キャップを設けてなる分包容器。
【請求項７】
請求項５に記載の分包容器において、入口に螺合する入口キャップを設けてなる分包容器。
【請求項８】
請求項５乃至７のいずれかに記載の分包容器において、入口キャップに子容器を押し入れる弾性部材を設けてなる分包容器。
【請求項９】
請求項５乃至８のいずれかに記載の分包容器において、入口と入口キャップの間にパッキンを設けてなる分包容器。
【請求項１０】
請求項１乃至９のいずれかに記載の分包容器において、親容器の開口に押し込み嵌着する開口キャップを設けてなる分包容器。
【請求項１１】
請求項１乃至９に記載の分包容器において、開口に螺合する開口キャップを設けてなる分包容器。
【請求項１２】
請求項１０又は１１に記載の分包容器において、開口キャップがヒンジ式に開閉するヒンジキャップを具備する分包容器。
【請求項１３】
請求項１０、１１又は１２に記載の分包容器において、開口キャップが振り掛け用孔を備えたキャップからなる分包容器。
【請求項１４】
請求項１０乃至１３のいずれかに記載の分包容器において、開口に中栓を設けてなる分包容器。
【請求項１５】
請求項１乃至１４のいずれかに記載の分包容器において、開口に弾性変形可能に子容器を挿通して後に突出して子容器の外周と密着すると共に親容器内への復帰進入を止める開口ストッパを設けてなる分包容器。
【請求項１６】
請求項１５に記載の分包容器において、子容器の外周に開口ストッパと係合する係止突起を設けてなる分包容器。
【請求項１７】
請求項１乃至１６のいずれかに記載の分包容器において、筒内に弾性変形可能に子容器を挿通して後に突出して子容器の逆戻りを止める中間ストッパを設けてなる分包容器。
【請求項１８】
請求項１７に記載の分包容器において、子容器の外周に中間ストッパと係合する中間係止部を設けてなる分包容器。
【請求項１９】
請求項１乃至１８のいずれかに記載の分包容器において、子容器の密閉蓋が引き剥がし可能なシール材からなる分包容器。
【請求項２０】
請求項１乃至１８のいずれかに記載の分包容器において、子容器の密閉蓋が着脱可能な嵌着蓋からなる分包容器。
【請求項２１】
請求項１乃至１８のいずれかに記載の分包容器において、子容器の密閉蓋がねじ蓋からなる分包容器。
【請求項２２】
請求項１乃至２１のいずれかに記載の分包容器において、隣接する子容器が互いに嵌着する嵌着部を有する分包容器。
【請求項２３】
請求項１乃至２２のいずれかに記載の分包容器において、親容器及び子容器が内容物が透けて見える透明な容器からなる分包容器。
【請求項２４】
請求項１乃至２３のいずれかに記載の分包容器において、子容器内に液状体を収容してなる分包容器。
【請求項２５】
請求項２４に記載の分包容器において、親容器の開口に嵌着する開口キャップが液状体の滴下用孔を備えたキャップからなる分包容器。
【請求項２６】
請求項１乃至２５のいずれかに記載の分包容器において、上端部に開口を有する筒状の親容器内に複数個の子容器を上下に連ねて収容してなる分包容器。
【請求項２７】
請求項２６に記載の分包容器において、親容器の開口に嵌着する開口キャップが親容器の上端部の開口を開閉することからなる分包容器。
【請求項２８】
請求項１乃至２５のいずれかに記載の分包容器において、一端部に開口を有する筒状の親容器内に複数個の子容器を横方向に連ねて収容してなる分包容器。
【請求項２９】
請求項２８に記載の分包容器において、親容器の開口に嵌着する開口キャップが親容器の側面開口を開閉することからなる分包容器。
【請求項３０】
請求項２９に記載の分包容器において、子容器の密閉蓋が開閉キャップの側面開口に面して設けてあることからなる分包容器。
【請求項３１】
請求項１乃至３０のいずれかに記載の分包容器において、子容器の移動方向に交差する親容器の断面形状が円弧形状を含むことからなる分包容器。
【請求項３２】
請求項１乃至３１のいずれかに記載の分包容器において、子容器の移動方向に交差する親容器の断面形状が角部を含むことからなる分包容器。
【発明の詳細な説明】
【技術分野】
【０００１】
本発明は親容器内に複数個の子容器を連ねて収容してなる分包容器に関する。
【背景技術】
【０００２】
従来、塩、胡椒、七味唐辛子、ラー油等の調味料や香辛料は、ビン等の収容容器を再利用するために、詰替用の袋入りタイプのものを別売りして、収容容器のものを使い切ったところで詰め替えて利用している。
また、従来、塩、胡椒、七味唐辛子、ラー油等の調味料や香辛料は、２年以上の相当に長い賞味期限に見合った量を振り掛け容器等に容れて直射日光や高温多湿を避けて保管し販売されているが、家庭において一端開封した後では、蓋をしっかり閉めて冷暗所に保管するようにしないと、吸湿や虫害に合う恐れがある。
【発明の開示】
【発明が解決しようとする課題】
【０００３】
そのため、詰替用袋から粉体や液体を収容容器に詰め替える際に、外にこぼしたりしてうまく詰め替えるのが面倒で難しいという課題があった。
また、一時期に使うのに見合った量を小袋に容れて、一袋ずつ開封して使用するようにすることも可能であるが、その都度開封するのが面倒であったり、余った場合の保管や残量の管理が難しくなる課題があった。
【課題を解決するための手段】
【０００４】
そこで、本発明は、請求項１に記載のように、一端部に開口を有する筒状の親容器内に複数個の密閉蓋付の子容器を連ねて収容してなる分包容器を提供するものである。
また、本発明は、請求項２に記載のように、請求項１に記載の分包容器において、親容器の他端部に子容器用の入口を設けてなる分包容器を提供するものである。
【０００５】
また、本発明は、請求項３に記載のように、請求項２に記載の分包容器において、入口に弾性変形可能に子容器を挿通して収容後に突出して子容器の落下を止めるストッパを設けてなる分包容器を提供するものである。
また、本発明は、請求項４に記載のように、請求項３に記載の分包容器において、子容器の外周にストッパと係合する係止突起を設けてなる分包容器を提供するものである。
【０００６】
また、本発明は、請求項５に記載のように、請求項１乃至４のいずれかに記載の分包容器において、入口に入口キャップを設けてなる分包容器を提供するものである。
また、本発明は、請求項６に記載のように、請求項５に記載の分包容器において、入口に押し込み嵌着する入口キャップを設けてなる分包容器を提供するものである。
【０００７】
また、本発明は、請求項７に記載のように、請求項５に記載の分包容器において、入口に螺合する入口キャップを設けてなる分包容器を提供するものである。
また、本発明は、請求項８に記載のように、請求項５乃至７のいずれかに記載の分包容器において、入口キャップに子容器を押し入れる弾性部材を設けてなる分包容器を提供するものである。
【０００８】
また、本発明は、請求項９に記載のように、請求項５乃至８のいずれかに記載の分包容器において、入口と入口キャップの間にパッキンを設けてなる分包容器を提供するものである。
また、本発明は、請求項１０に記載のように、請求項１乃至９のいずれかに記載の分包容器において、親容器の開口に押し込み嵌着する開口キャップを設けてなる分包容器を提供するものである。
【０００９】
また、本発明は、請求項１１に記載のように、請求項１乃至９に記載の分包容器において、開口に螺合する開口キャップを設けてなる分包容器を提供するものである。
また、本発明は、請求項１２に記載のように、請求項１０又は１１に記載の分包容器において、開口キャップがヒンジ式に開閉するヒンジキャップを具備する分包容器を提供するものである。
【００１０】
また、本発明は、請求項１３に記載のように、請求項１０、１１又は１２に記載の分包容器において、開口キャップが振り掛け用孔を備えたキャップからなる分包容器を提供するものである。
また、本発明は、請求項１４に記載のように、請求項１０乃至１３のいずれかに記載の分包容器において、開口に中栓を設けてなる分包容器を提供するものである。
【００１１】
また、本発明は、請求項１５に記載のように、請求項１乃至１４のいずれかに記載の分包容器において、開口に弾性変形可能に子容器の上部を挿通して後に突出して子容器の外周と密着すると共に親容器内への復帰進入を止める開口ストッパを設けてなる分包容器を提供するものである。
また、本発明は、請求項１６に記載のように、請求項１５に記載の分包容器において、子容器の外周に開口ストッパと係合する係止突起を設けてなる分包容器を提供するものである。
【００１２】
また、本発明は、請求項１７に記載のように、請求項１乃至１６のいずれかに記載の分包容器において、筒内に弾性変形可能に子容器を挿通して後に突出して子容器の逆戻りを止める中間ストッパを設けてなる分包容器を提供するものである。
また、本発明は、請求項１８に記載のように、請求項１７に記載の分包容器において、子容器の外周に中間ストッパと係合する中間係止部を設けてなる分包容器を提供するものである。
【００１３】
また、本発明は、請求項１９に記載のように、請求項１乃至１８のいずれかに記載の分包容器において、子容器の密閉蓋が引き剥がし可能なシール材からなる分包容器を提供するものである。
また、本発明は、請求項２０に記載のように、請求項１乃至１８のいずれかに記載の分包容器において、子容器の密閉蓋が着脱可能な嵌着蓋からなる分包容器を提供するものである。
また、本発明は、請求項２１に記載のように、請求項１乃至１８のいずれかに記載の分包容器において、子容器の密閉蓋がねじ蓋からなる分包容器を提供するものである。
【００１４】
また、本発明は、請求項２２に記載のように、請求項１乃至２１のいずれかに記載の分包容器において、隣接する子容器が互いに嵌着する嵌着部を有する分包容器を提供するものである。
また、本発明は、請求項２３に記載のように、請求項１乃至２２のいずれかに記載の分包容器において、親容器及び子容器が内容物が透けて見える透明な容器からなる分包容器を提供するものである。
【００１５】
また、本発明は、請求項２４に記載のように、請求項１乃至２３のいずれかに記載の分包容器において、子容器内に液状体を収容してなる分包容器を提供するものである。
また、本発明は、請求項２５に記載のように、請求項２４に記載の分包容器において、親容器の開口に嵌着する開口キャップが液状体の滴下用孔を備えたキャップからなる分包容器を提供するものである。
【００１６】
また、本発明は、請求項２６に記載のように、請求項１乃至２５のいずれかに記載の分包容器において、上端部に開口を有する筒状の親容器内に複数個の子容器を上下に連ねて収容してなる分包容器を提供するものである。
また、本発明は、請求項２７に記載のように、請求項２６に記載の分包容器において、親容器の開口に嵌着する開口キャップが親容器の上端部の開口を開閉することからなる分包容器を提供するものである。
【００１７】
また、本発明は、請求項２８に記載のように、請求項１乃至２５のいずれかに記載の分包容器において、一端部に開口を有する筒状の親容器内に複数個の子容器を横方向に連ねて収容してなる分包容器を提供するものである。
また、本発明は、請求項２９に記載のように、請求項２８に記載の分包容器において、親容器の開口に嵌着する開口キャップが親容器の側面開口を開閉することからなる分包容器を提供するものである。
【００１８】
また、本発明は、請求項３０に記載のように、請求項２９に記載の分包容器において、子容器の密閉蓋が開閉キャップの側面開口に面して設けてあることからなる分包容器を提供するものである。
また、本発明は、請求項３１に記載のように、請求項１乃至３０のいずれかに記載の分包容器において、子容器の移動方向に交差する親容器の断面形状が円弧形状を含むことからなる分包容器を提供するものである。
また、本発明は、請求項３２に記載のように、請求項１乃至３１のいずれかに記載の分包容器において、子容器の移動方向に交差する親容器の断面形状が角部を含むことからなる分包容器を提供するものである。
【発明の効果】
【００１９】
本発明に係る分包容器によれば、請求項１に記載のように、一端部に開口を有する筒状の親容器内に複数個の密閉蓋付の子容器を連ねて収容してなる構成を有することにより、ビン等の収容容器を再利用するために、詰替用の袋から詰め替えるのではなく、子容器を付け替えることにより、詰替の面倒をなくすことができる効果がある一方、満杯の親容器の場合と同様に、開口に位置する子容器の密閉蓋を取り外して内容物を取り出して親容器を使用することができる効果があると共に、子容器に小分けした内容物が使い終わった場合には、順次に次の子容器と入れ替えて、開口に位置する新しい子容器を開封して、親容器を新品同様に使用することができ、従って、子容器のみでは使い難くても親容器に充填することによって、子容器も親容器により常時新品同様に使い続けることができる効果がある。
【００２０】
また、本発明は、請求項２に記載のように、請求項１に記載の分包容器において、親容器の他端部に子容器用の入口を設けてなる構成を有することにより、使い終わった子容器を入口から挿入して新しい子容器を開口に送ることがきると共に、使い終わった小容器に変えて新しい子容器を入口から補充することにより次の子容器に換えることができる効果がある。
【００２１】
また、本発明は、請求項３に記載のように、請求項２に記載の分包容器において、入口に弾性変形可能に子容器を挿通して収容後に突出して子容器の落下を止めるストッパを設けてなる構成を有することにより、ストッパにより子容器の入口からの落下を防止できると共に、子容器の親容器への補充操作を容易にする効果がある。
【００２２】
また、本発明は、請求項４に記載のように、請求項３に記載の分包容器において、子容器の外周にストッパと係合する係止突起を設けてなる構成を有することにより、ストッパによる子容器の係止を確実にする効果がある。
また、本発明は、請求項５に記載のように、請求項１乃至４のいずれかに記載の分包容器において、入口に入口キャップを設けてなる構成を有することにより、入口キャップにより親容器による子容器の収容・保持を確実にする効果がある。
【００２３】
また、本発明は、請求項６に記載のように、請求項５に記載の分包容器において、入口に押し込み嵌着する入口キャップを設けてなる構成を有することにより、押し込みにより容易に入口キャップを装着することができる効果がある。
また、本発明は、請求項７に記載のように、請求項５に記載の分包容器において、入口に螺合する入口キャップを設けてなる構成を有することにより、螺合により入口キャップを確実に装着することができる効果がある。
【００２４】
また、本発明は、請求項８に記載のように、請求項５乃至７のいずれかに記載の分包容器において、入口キャップに子容器を押し入れる弾性部材を設けてなる構成を有することにより、弾性部材により子容器に押し込み力を付与することができる効果がある。
また、本発明は、請求項９に記載のように、請求項５乃至８のいずれかに記載の分包容器において、入口と入口キャップの間にパッキンを設けてなる構成を有することにより、パッキンにより入口と入口キャップの間を確実に密封することができる効果がある。
【００２５】
また、本発明は、請求項１０に記載のように、請求項１乃至９のいずれかに記載の分包容器において、親容器の開口に押し込み嵌着する開口キャップを設けてなる構成を有することにより、押し込みにより容易に開口キャップを装着することができる効果がある。
また、本発明は、請求項１１に記載のように、請求項１乃至９に記載の分包容器において、開口に螺合する開口キャップを設けてなる構成を有することにより、ねじ込みにより容易に開口キャップを装着することができる効果がある。
【００２６】
また、本発明は、請求項１２に記載のように、請求項１０又は１１に記載の分包容器において、開口キャップがヒンジ式に開閉するヒンジキャップを具備する構成を有することにより、ヒンジキャップによって親容器の開口を実質的に容易に開閉することができる効果がある。
また、本発明は、請求項１３に記載のように、請求項１０、１１又は１２に記載の分包容器において、開口キャップが振り掛け用孔を備えたキャップからなる構成を有することにより、親容器を振り掛け容器として使用することができる効果がある。
【００２７】
また、本発明は、請求項１４に記載のように、請求項１０乃至１３のいずれかに記載の分包容器において、開口に中栓を設けてなる構成を有することにより、密封性の中栓であれば、開口を確実に閉鎖することができ、また、振り掛け孔を有する中栓であれば、振り掛け容器として使用することができる効果がある。
【００２８】
また、本発明は、請求項１５に記載のように、請求項１乃至１４のいずれかに記載の分包容器において、開口に弾性変形可能に子容器を挿通して後に突出して子容器の外周と密着すると共に親容器内への復帰進入を止める開口ストッパを設けてなる構成を有することにより、開口に位置する子容器と親容器との隙間の密封性を高める効果があると共に、親容器内への復帰進入を止めるから子容器の隣に空間があっても開口位置を維持することができる効果がある。
【００２９】
また、本発明は、請求項１６に記載のように、請求項１５に記載の分包容器において、子容器の外周に開口ストッパと係合する係止突起を設けてなる構成を有することにより、子容器の係止状態を確実にする効果がある。
また、本発明は、請求項１７に記載のように、請求項１乃至１６のいずれかに記載の分包容器において、筒内に弾性変形可能に子容器を挿通して後に突出して子容器の逆戻りを止める中間ストッパを設けてなる構成を有することにより、中間ストッパにより逆戻りを止められた子容器によって次に連なる他の子容器の収容位置を規制し維持することができる効果がある。
【００３０】
また、本発明は、請求項１８に記載のように、請求項１７に記載の分包容器において、子容器の外周に中間ストッパと係合する中間係止部を設けてなる構成を有することにより、子容器の中間ストッパとの係止を確実にする効果がある。
また、本発明は、請求項１９に記載のように、請求項１乃至１８のいずれかに記載の分包容器において、子容器の密閉蓋が引き剥がし可能なシール材からなる構成を有することにより、子容器の密封蓋を確実且つ簡素な構造にする効果がある。
【００３１】
また、本発明は、請求項２０に記載のように、請求項１乃至１８のいずれかに記載の分包容器において、子容器の密閉蓋が着脱可能な嵌着蓋からなる構成を有することにより、子容器の密閉蓋を簡単に嵌着し、また、離脱することができる効果がある。
また、本発明は、請求項２１に記載のように、請求項１乃至１８のいずれかに記載の分包容器において、子容器の密閉蓋がねじ蓋からなる構成を有することにより、子容器の密閉蓋を確実に着脱することができる効果がある。
【００３２】
また、本発明は、請求項２２に記載のように、請求項１乃至２１のいずれかに記載の分包容器において、隣接する子容器が互いに嵌着する嵌着部を有する構成を有することにより、子容器を一体的に親容器に収容することができる効果があると共に、子容器の密閉蓋を隣接する容器で兼用することができる効果がある。
また、本発明は、請求項２３に記載のように、請求項１乃至２２のいずれかに記載の分包容器において、親容器及び子容器が内容物が透けて見える透明な容器からなる構成を有するから、分包容器内の子容器の使用状態を外から容易に視認することができる効果がある。
【００３３】
また、本発明は、請求項２４に記載のように、請求項１乃至２３のいずれかに記載の分包容器において、子容器内に液状体を収容してなる構成を有することにより、ラー油等の液状体を子容器に収容して使用することができる効果がある。
また、本発明は、請求項２５に記載のように、請求項２４に記載の分包容器において、親容器の開口に嵌着する開口キャップが液状体の滴下用孔を備えたキャップからなる構成を有するから、子容器に収容したラー油等の液状体を親容器の開口キャップの滴下用孔から容易に滴下して使用することができる効果がある。
【００３４】
また、本発明は、請求項２６に記載のように、請求項１乃至２５のいずれかに記載の分包容器において、上端部に開口を有する筒状の親容器内に複数個の子容器を上下に連ねて収容してなる構成を有することにより、縦置きの分包容器により上端部の開口から内容物をとり出すことができる効果がある。
また、本発明は、請求項２７に記載のように、請求項２６に記載の分包容器において、親容器の開口に嵌着する開口キャップが親容器の上端部の開口を開閉することからなる構成を有することにより、親容器の上端部の開口キャップを開閉して使用することができる効果がある。
【００３５】
また、本発明は、請求項２８に記載のように、請求項１乃至２５のいずれかに記載の分包容器において、一端部に開口を有する筒状の親容器内に複数個の子容器を横方向に連ねて収容してなる構成を有することにより、横向きの分包容器を提供することができる効果がある。
また、本発明は、請求項２９に記載のように、請求項２８に記載の分包容器において、親容器の開口に嵌着する開口キャップが親容器の側面開口を開閉することからなる構成を有することにより、横向きに親容器を持って側面開口から内容物を取り出すことができる効果がある。
【００３６】
また、本発明は、請求項３０に記載のように、請求項２９に記載の分包容器において、子容器の密閉蓋が開閉キャップの側面開口に面して設けてあることからなる構成を有することにより、子容器の密封蓋を取り外して側面開口から内容物を取り出すことができる効果がある。
【００３７】
また、本発明は、請求項３１に記載のように、請求項１乃至３０のいずれかに記載の分包容器において、子容器の移動方向に交差する親容器の断面形状が円弧形状を含むことからなる構成を有することにより、円弧形状を有する分包容器を提供することができる効果がある。
また、本発明は、請求項３２に記載のように、請求項１乃至３１のいずれかに記載の分包容器において、子容器の移動方向に交差する親容器の断面形状が角部を含むことからなる構成を有することにより、角形形状を有する分包容器を提供することができる効果がある。
【発明を実施するための最良の形態】
【００３８】
以下図示する実施例のより本発明を説明する。
【実施例１】
【００３９】
本発明に係る分包容器によれば、図１乃至図３に記載のように、上端部に開口２を有する筒状の親容器１内に複数個の密閉蓋１１付の子容器１０を重ねて収容してなる構成を有する。
このことにより、満杯の親容器１の場合と同様に、開口２に位置する子容器１０の密閉蓋１１を取り外すことによって親容器１を通常の振り掛け容器として使用することができる。
【００４０】
最上段の子容器１０に小分けした内容物を使い終わった場合には、下側の子容器１０と入れ替えて、開口に位置する新しい子容器を開封して、親容器１を新品同様に使用することができ、従って、子容器１０のみでは使い難くても親容器１に充填することによって、子容器１０も親容器１と同様の機能の基に使い続けることができる。
また、親容器１及び子容器１０を内容物が透けて見える透明な容器からなる構成にすれば、分包容器内の子容器１０の使用状態を外から容易に視認することができる効果がある。
【実施例２】
【００４１】
また、本発明は、図４の実施例に記載のように、親容器１の底部に子容器１０用の入口３を設けてなる構成を有する。
このことにより、使い終わった子容器１０を開口２から取り出して入口３から挿入すれば、新しい子容器１０を開口２に送ることがきる。或いは、新しい子容器１０を入口３から挿入すれば、使い終わった子容器１０を開口２から押し出して下側の新しい子容器１０を開口２に補充することができる。
【実施例３】
【００４２】
また、本発明は、図４に記載のように、入口３に弾性変形可能に子容器１０を挿通して収容後に突出して子容器１０の入口３からの落下を止めるストッパ４を設けてなる構成を有する。
ストッパ４は内周全体に渡って設けることも、例えば、６０〜１８０度角度間隔に６〜２個所に部分的に設けることも可能である。
このストッパ４により子容器１０の入口３からの落下を防止できると共に、子容器１０を入口３に押し込むだけで親容器１への補充操作を容易に行うことができる効果がある。
【実施例４】
【００４３】
また、本発明は、図５の実施例に記載のように、子容器１０の外周にストッパ４と係合する係止突起１２を設けてなる構成を有する。
このことにより、ストッパ４による子容器１０の係止を確実にする効果がある。
【実施例５】
【００４４】
また、本発明は、図１乃至図３に記載のように、入口３に入口キャップ５を設けてなる構成を有する。
このことにより、入口キャップ５により親容器１による子容器１０の収容及び保持を確実にすることができる。
【００４５】
また、図１乃至図３の実施例では、入口３に押し込み嵌着する入口キャップ５を設けてなる構成を有し、押し込みにより容易に入口キャップ５を装着することができる。なお、５ａは入口キャップ５の嵌着部であり、入口キャップ５の外周は親容器１の胴部と一致する形状を有し、その境界には、切り欠き等からなる取り外し用の隙間を設けることも可能である。
【実施例６】
【００４６】
また、図６に記載の実施例では、入口キャップ５の間着部５ａに、入口３のストッパ４に弾性変形を伴って係合する嵌着突起５ｂを設けてなる構成を有する。
このことにより、入口キャップ５を親容器１の入口３に緩み無く確実に嵌着することができる。
【実施例７】
【００４７】
また、本発明は、図７の実施例に記載のように、入口３の内周に設けた雌ねじ部６ａに、入口キャップ５の雄ねじ部６ｂが螺合する構成を有する。
このことにより、螺合により入口３に入口キャップ５を確実に装着することができる。
【実施例８】
【００４８】
また、本発明は、図６または図７に記載のように、入口キャップ５に子容器１０を押し上げる弾性部材７を設けてなる構成を有する。
このことにより、弾性部材７により子容器１０に押し上げ力を付与することができる。
図６の実施例の場合、弾性部材７はスポンジ状のゴム、合成樹脂等からなる比較的柔軟な弾性部材であり、図５の実施例ではコイルスプリング、板ばね等からなる比較的強い弾性部材であり、勿論、両者を併用しても良い。
【実施例９】
【００４９】
また、本発明は、図４または図７に記載のように、入口３と入口キャップ５の間にパッキン８を設けてなる構成を有する。
このことにより、パッキン８により入口３と入口キャップ５の間を確実に密封することができる効果がある。
【実施例１０】
【００５０】
また、本発明は、図９に記載のように、親容器１の開口２に押し込み嵌着する開口キャップ２０を設けてなる構成を有する。
このことにより、親容器１の開口２に押し込みにより容易に開口キャップ２０を装着することができる効果がある。
【実施例１１】
【００５１】
また、本発明は、図１乃至図３の実施例に記載のように、開口２に螺合する開口キャップ２０を設けてなる構成を有する。
ねじ込みにより容易に開口キャップ２０を装着することができる効果がある。
９は開口２の外周に設けた雌ねじ部である。
【実施例１２】
【００５２】
また、本発明は、図１乃至図３または図８に記載のように、開口キャップ２０が開閉弾性を付与した板ばね付のヒンジ連結部２１により開閉するヒンジキャップ２２を具備している。
この構成により、ヒンジキャップ２２によって親容器１の開口２の実質的な振り掛け孔２３等を容易に開閉して使用することができる効果がある。
【実施例１３】
【００５３】
また、本発明は、前述の如く、図１乃至図３の実施例に記載のように、開口キャップ２０が振り掛け用孔２３を備えたキャップからなる構成を有することにより、親容器１を振り掛け容器として使用することができる効果がある。図１乃至図３において、２４はヒンジキャップ２２に設けた振り掛け孔２３に着脱自在に嵌着する開閉密封突起である。
【実施例１４】
【００５４】
また、本発明は、図９に記載のように、開口２に中栓２５を設けてなる構成を有する。
このことにより、密封性の中栓２５であれば、開口２を確実に閉鎖することができ、また、図示のように振り掛け孔２６を有する中栓２５であれば、開口キャップ２０を取り外して振り掛け容器として使用することができる効果がある。
【実施例１５】
【００５５】
また、本発明は、図９または図１０に記載の実施例ように、開口２に弾性変形可能に子容器１０の上部を挿通して後に突出して子容器１０の外周と密着すると共に、子容器１０の親容器１内への復帰進入を止める開口ストッパ１２を設けてなる構成を有する。
このことにより、開口２に位置する子容器１０と親容器１との隙間の密封性を高める効果があると共に、開口２に位置する子容器１０の親容器１内への復帰進入を止めることができ、また、開口２に位置する子容器１０の下に空間があっても開口位置を維持することができる効果がある。
【００５６】
図９の実施例の場合、子容器１０の上部外周には、凹溝１３が設けてあり、前記開口ストッパ１２と着脱可能に係合して、開口２に位置する子容器１０の親容器１内への復帰進入を止めることができるように構成してある。
また、図８の実施例の場合、開口ストッパ１２はストッパ４と同様に子容器１０の底部１６を支持することによって、開口に位置する子容器１０を親容器１内に復帰進入しないように構成してある。
【実施例１６】
【００５７】
また、本発明は、図１０に記載の実施例ように、子容器１０の外周に開口ストッパ１２と係合する係止突起１４を設けてなる構成を有する。
このことにより、親容器１の内周と隙間があるような場合でも子容器１０の係止状態及び密封状態を確実に維持することができる効果がある。
【実施例１７】
【００５８】
また、本発明は、図８に記載のように、親容器１の筒内に弾性変形可能に子容器１０を挿通して後に突出して子容器の落下を止める中間ストッパ１５を設けてなる構成を有する。
このことにより、中間ストッパ１５により落下を止められた子容器１０によってこれに重なる他の子容器１０の収容位置を規制し維持することができる効果がある。
【００５９】
また、本発明は、子容器１０の外周に中間ストッパ１５と係合する中間係止部として子容器の底部１６の他に容器外周に前記凹溝１３または係止突起１４を設けることができる。
この構成を有することにより、子容器１０の中間ストッパ１５との係止を確実にすることができる。
【実施例１８】
【００６０】
また、本発明は、図５に記載のように、子容器１０の密閉蓋１１が引き剥がし可能なシール材からなる構成を有することにより、子容器１０の密封蓋を確実且つ簡素な構造にすることができる。
【実施例１９】
【００６１】
また、本発明は、図１乃至図３に記載のように、子容器１０の密閉蓋１１が着脱可能な嵌着蓋からなる構成を有することにより、子容器１０の密閉蓋１１を簡単に嵌着し、また、離脱することができる。
また、本発明は、子容器１０の密閉蓋１１はねじ蓋からなる構成にすることができ、子容器１０の密閉蓋１１を確実に着脱することができる効果がある。
【実施例２０】
【００６２】
また、本発明は、図１１に記載のように、重なり合う子容器が互いに上下に嵌着する嵌着部１７、１８を有する構成を有することにより、子容器１０を一体的に親容器１に収容することができる効果があると共に、子容器１０の密閉蓋を上の子容器の底部で兼用することができる効果がある。
この場合、子容器１０の開口部の嵌着部１７と底部の嵌着部１８とは、押し込み式に嵌合する形態、ねじ込み式の嵌合する形態のいずれの形態にすることもできる。また、場合によっては子容器１０の開口部にシール材を施し、確実な密封をしてあっても良い。
【実施例２１】
【００６３】
また、本発明は、図１２及び図１３の実施例に記載のように、子容器１０内にソース、オリーブオイル、ラー油のような液状体を収容すると共に、親容器１の開口に嵌着する開口キャップ２０に液状体の滴下用孔２８を設けることによって、子容器１０に収容したラー油等の液状体を親容器１の開口キャップ２０の滴下用孔２７から容易に滴下して使用することができる効果がある。なお、図１２，図１３において２８は液切り板部、２９は滴下用押しポンプ部である。
【実施例２２】
【００６４】
また、図１４及び図１５に記載の実施例は、直方体の横向き筒状体の親容器１内に、複数個の密封蓋１１付の直方体形状の子容器１０を横方向に連ねて収容した構成のものである。
親容器１の一端部の開口嵌着部９には開口キャップ２０が、嵌合突起９ａと嵌合凹部２０ａによって着脱可能に嵌着するように構成してあり、開口キャップ２０にはヒンジ連結部２１により開閉するヒンジキャップ２２を設けてある。
この構成により、ヒンジキャップ２２の開閉密封突起２４によって親容器１の開口の実質的な振り掛け孔２３を容易に開閉して、開口間着部９内に位置する密封蓋１１を取り外した子容器１０内の内容物１９を振り出して使用することができる。２２ａはヒンジキャップ２２の開放用の切り欠き部である。
【００６５】
親容器１の他端部には、子容器１０用の入口３を設けてあり、使い終わった子容器１０を開口２から取り出して入口３から挿入すれば、新しい子容器１０を開口２に送ることがきる。或いは、新しい子容器１０を入口３から挿入すれば、使い終わった子容器１０を開口２から押し出して次の新しい子容器１０を開口２に補充することができる。
【００６６】
入口３には押し込み嵌着する入口キャップ５が設けてあり、押し込みにより容易に入口キャップ５を装着することができる。なお、５ａは入口キャップ５の嵌着部であり、突起部５ｂが入口３の嵌着凹部３ｂに着脱自在に嵌合するように構成してある。
入口キャップ５の外周は親容器１の胴部と一致する形状を有し、その境界には、切り欠き等からなる取り外し用の隙間を設けることも可能である。
【図面の簡単な説明】
【００６７】
【図１】本発明の一実施例の概略分解斜視説明図。
【図２】その実施例の要部を切り欠いて示すの概略斜視説明図。
【図３】その実施例の要部を縦断して示すの概略縦断説明図。
【図４】他の実施例の要部の概略縦断説明図。
【図５】他の実施例の要部の概略縦断分解説明図。
【図６】他の実施例の要部の概略縦断分解説明図。
【図７】他の実施例の要部の概略縦断分解説明図。
【図８】他の実施例の要部の概略縦断分解説明図。
【図９】他の実施例の要部の概略縦断分解説明図。
【図１０】他の実施例の要部の概略縦断分解説明図。
【図１１】他の実施例の要部の概略斜視説明図。
【図１２】他の実施例の概略分解斜視説明図。
【図１３】その実施例の要部を縦断して示すの概略縦断説明図。
【図１４】他の実施例の概略斜視説明図。
【図１５】その実施例の要部を横断し分解して示すの概略横断分解説明図。
【符号の説明】
【００６８】
１      親容器
２      開口
３      入口
４      ストッパ
５      入口キャップ
５ａ    嵌着部
５ｂ    嵌着突起
６ａ、６ｂ    ねじ部
７      弾性部材
８      パッキン
１０    子容器
１１    密閉蓋
１２    開口ストッパ
１３    凹溝
１４    係止突起
１５    中間ストッパ
１６    底部
１７，１８    嵌着部
２０    開口キャップ
２１    ヒンジ連結部
２２    ヒンジキャップ
２３    振り掛け孔
２４    開閉密封突起
２５    中栓
２６    振り掛け孔
２７    滴下用孔
２８    液切り板部
２９    滴下用押しポンプ部
【図１】
2008074442.tif 000003
【図２】
2008074442.tif 000004
【図３】
2008074442.tif 000005
【図４】
2008074442.tif 000006
【図５】
2008074442.tif 000007
【図６】
2008074442.tif 000008
【図７】
2008074442.tif 000009
【図８】
2008074442.tif 000010
【図９】
2008074442.tif 000011
【図１０】
2008074442.tif 000012
【図１１】
2008074442.tif 000013
【図１２】
2008074442.tif 000014
【図１３】
2008074442.tif 000015
【図１４】
2008074442.tif 000016
【図１５】
2008074442.tif 000017